(57)【要約】      （修正有）【課題】ギターのネックプレートの取付け構造を改善して音質を向上するようにしたものであり、特に低域の雑振動を抑えることによって、低域に締りのある音質を発生することができるギターのネックプレート取付け構造を提供する。【解決手段】ギター１のボディ２とネック３とをネジ４ａで接合するに際し、ボディ２の背面に振動伝導性の高い真鍮製ネックプレート５を当接すると共に、該ネックプレート５の各隅部に形成したネジ穴の他にネックプレート５の中央部に形成したネジ穴にネジ４ｂを捩じ込むことによって、ボディ２に対するネックプレート５の密着性を高めるようにした。【選択図】図１
0003173675.tif 000002
【実用新案登録請求の範囲】
【請求項１】
ギターのボディとネックとをネジで接合するに際し、ボディの背面に振動伝導性の高い真鍮製ネックプレートを当接すると共に、該ネックプレートの各隅部に形成したネジ穴の他にネックプレートの中央部に形成したネジ穴にネジを捩じ込むことによって、ボディに対するネックプレートの密着性を高めるようにしたギターのネックプレート取付構造において、ネックプレートの各隅部に形成したネジ穴の他にネックプレートの中央部に形成したネジ穴にネジを捩じ込むことによって、平面形状が四角形のネックプレートの場合は５点止めとしたことを特徴とするギターのネックプレート取付け構造。
【請求項２】
ギターのボディとネックとをネジで接合するに際し、ボディの背面に振動伝導性の高い真鍮製ネックプレートを当接すると共に、該ネックプレートの各隅部に形成したネジ穴の他にネックプレートの中央部に形成したネジ穴にネジを捩じ込むことによって、ボディに対するネックプレートの密着性を高めるようにしたギターのネックプレート取付構造において、ネックプレートの各隅部に形成したネジ穴の他にネックプレートの中央部に形成したネジ穴にネジを捩じ込むことによって、平面形状が三角形のネックプレートの場合は４点止めとしたことを特徴とするギターのネックプレート取付け構造。
【請求項３】
ネックプレートは、厚さ１ｍｍ〜５ｍｍの真鋳製板であることを特徴とする請求項１又は２記載のギターのネックプレート取付け構造。
【請求項４】
ネックプレートは、ボディの背面に形成した窪み部に収納した状態で、該ネックプレートの各ネジ穴にネジを締結するようにしたことを特徴とする請求項１、２又は３記載のギターのネックプレート取付け構造。
【考案の詳細な説明】
【技術分野】
【０００１】
本考案は、ギターのボディとネックとをネジで接合する際に用いるネックプレートの取付け構造に関する。
【背景技術】
【０００２】
従来、電気ギター等の製造工程において別体に作製されたボディとネックとを接合する際、ボディの裏面にネックプレートを当接した状態でネジをネックまで捩じ込むことにより、ボディとネックとの接合強度を向上することが行なわれている。
【０００３】
このようなネックプレートの種別としては、図６(ａ)に示す四角形の金属製ネックプレート（以下、「四角形プレート」という）、又は図６(ｂ)に示す三角形の金属製ネックプレート（以下、「三角形プレート」という）があり、四角形プレート７Ａの場合は四方の隅部にネジ穴８ａ、８ａ…が形成され、三角プレート７Ｂの場合は三方の隅部にネジ穴８ｂ、８ｂ…が形成されている。
【０００４】
従って、いずれのネックプレート７Ａ、７Ｂも、隅部にネジ穴８ａ、８ａ…又は８ｂ、８ｂ…が形成され、このようなネックプレート７Ａ、７Ｂをギターのボディにネジ締結した場合、各ネジ穴８ａ、８ａ…又は８ｂ、８ｂ…の中央部では、ボディに対する密着性が低減するという不都合があった。
【０００５】
また、従来のネックプレートは、表面にメッキ加工を施した厚さ１ｍｍの鉄板からなり、演奏中にボディに伝達した振動がネックプレートに伝達され、このネックプレートに余分な振動が生じるため、特に低域の雑振動を発生させるという問題があった。
【０００６】
なお、従来のネックプレートに関する特許文献を参照すると、特許文献１にはネックを固着するためにボディに設けた取付部の背面を、取付部の厚みが低音弦側より高音弦側へ漸次薄くなる傾斜面に構成すると共に、この傾斜面に単一のジョイントプレート（「ネックプレート」と同意）を配して、ネックを螺着するようにした構成が記載されている。
【０００７】
また、特許文献２には、ボディのネック接合部に、ボディとネックを接合する複数のねじを受けると共にネック接合部を補強するためのジョイントプレート（「ネックプレート」と同意）が埋め込まれた構成が記載されている。
【０００８】
上記の特許文献１、２は、いずれもギターの演奏者がボディに近いネックの高音域を操作する際、その手がネックプレートに当って演奏しづらくなるという不都合を解消するようにしたものであり、音質を向上することに目的を有するものではない。
【先行技術文献】
【特許文献】
【０００９】
【特許文献１】実開昭６３−１０９９９２号公報
【特許文献２】実開昭６３−１９５３７７号公報
【考案の概要】
【考案が解決しようとする課題】
【００１０】
本考案は、従来のギターのネックプレートの取付け構造を改善して音質を向上するようにしたものであり、特に低域の雑振動を抑えることによって、低域に締りのある音質を発生することができるギターのネックプレート取付け構造を提供することを目的とする。
【課題を解決するための手段】
【００１１】
上記の問題を解決するために、本考案の請求項１におけるギターのネックプレート取付け構造は、ギターのボディとネックとをネジで接合するに際し、ボディの背面に振動伝導性の高い真鍮製ネックプレートを当接すると共に、該ネックプレートの各隅部に形成したネジ穴の他にネックプレートの中央部に形成したネジ穴にネジを捩じ込むことによって、ボディに対するネックプレートの密着性を高めるようにしたギターのネックプレート取付構造において、ネックプレートの各隅部に形成したネジ穴の他にネックプレートの中央部に形成したネジ穴にネジを捩じ込むことによって、平面形状が四角形のネックプレートの場合は５点止めとしたことを特徴とする。
【００１２】
また、本考案の請求項２は、ギターのボディとネックとをネジで接合するに際し、ボディの背面に振動伝導性の高い真鍮製ネックプレートを当接すると共に、該ネックプレートの各隅部に形成したネジ穴の他にネックプレートの中央部に形成したネジ穴にネジを捩じ込むことによって、ボディに対するネックプレートの密着性を高めるようにしたギターのネックプレート取付構造において、ネックプレートの各隅部に形成したネジ穴の他にネックプレートの中央部に形成したネジ穴にネジを捩じ込むことによって、平面形状が三角形のネックプレートの場合は４点止めとしたことを特徴とする。
【００１３】
また、本考案の請求項３は、請求項１又は２において、ネックプレートは、厚さ１ｍｍ〜５ｍｍの真鋳製板であることを特徴とする。
【００１４】
さらに、本考案の請求項４は、請求項１、２又は３において、ネックプレートは、ボディの背面に形成した窪み部に収納した状態で、該ネックプレートの各ネジ穴にネジを締結するようにしたことを特徴とする。
【考案の効果】
【００１５】
本考案のギターのネックプレート取付け構造によれば、ネックプレートの隅部に形成したネジ穴の他に中央領域に形成したネジ穴にネジを捩じ込むことによって、例えば、四角形のネックプレートの場合は５点支持、三角形のネックプレートの場合は４点支持とすることによって、ネックプレートの中央部をボディに密着させることができ、これによってギターの演奏中における振動伝達を高効率に行うことができるため、響きの良い音を得ることが可能となる。
【００１６】
また、ネックプレートの厚みの増大によって余分な振動、特に低域の雑振動を除去することによって、引き締まった低音を発することが可能となる。さらに、ネックプレートとして振動伝導性の高い真鍮板を使用することにより、サステイン（音の伸び）を向上することが可能となる。
【図面の簡単な説明】
【００１７】
【図１】本考案によるネックプレートを四角形プレートとした場合の取付け構造を示すギターの部分斜視図である。
【図２】本考案によるネックプレートを三角形プレートとした場合の取付け構造を示すギターの部分斜視図である。
【図３】（ａ）は本考案によるネックプレートの取付け構造を示すギターの部分側面図であり、（ｂ）は四角形プレートを使用した場合のギターの部分背面図であり、（ｃ）は三角形プレートを使用した場合のギターの部分背面図である。
【図４】（ａ）〜（ｄ）は本考案によるネックプレートの取付け構造を示すギターの部分断面図であり、（ａ）はネックプレートをボディの背面に当接して中央部のネジをネックに届かない短尺にした場合を示し、（ｂ）はネックプレートをボディの窪み部に収納した状態で中央部のネジをネックに届かない短尺にした場合を示し、（ｃ）はネックプレートをボディの背面に当接して中央部のネジをネックの内部に螺入される長尺とした場合を示し、（ｄ）はネックプレートをボディの窪み部に収納して中央部のネジをネックの内部に螺入される長尺にした場合を示す。
【図５】（ａ）は本考案による四角形プレートの平面図であり、（ｂ）は本考案による三角形プレートの平面図である。
【図６】（ａ）は従来の四角形プレートの平面図であり、（ｂ）は従来の三角形プレートの平面図である。
【考案を実施するための形態】
【００１８】
以下、本考案の実施例について図面を参照しながら説明する。
【実施例１】
【００１９】
本考案によるギターのネックプレート取付け構造は、図１又は図２に示すように、ギター１のボディ２とネック３とをネジ４ａ、４ｂで接合するに際し、ボディ２の背面に振動伝導性の高い真鍮製ネックプレート５（５Ａ、５Ｂ）を当接すると共に、該ネックプレート５の各隅部に形成したネジ穴６ａ、６ａ…（図５(ａ)（ｂ）参照）の他にネックプレート５の中央部に形成したネジ穴６ｂ（図５(ａ)（ｂ）参照）にネジ４ｂを捩じ込むことによって（図３参照）、ボディ２に対するネックプレート５の密着性を高めるようにしたものである。
【００２０】
このような考案について詳細に述べる。図１又は図２は、ギター１のボディ２とネック３との接合部付近に関する斜視図であり、図１は平面形状が四角形のネックプレート５Ａを示し、図２は平面形状が三角形のネックプレート５Ｂを示す。夫々のネックプレート５Ａ、５Ｂは、双方とも、振動減衰率が低く、音の振動を良く伝える材料として、振動伝導性の高い真鍮製板を使用してあり、その厚さは１ｍｍ〜５ｍｍの範囲の中間値である３ｍｍとするのが好ましい。
【００２１】
このようにネックプレート５の厚さを１ｍｍ〜５ｍｍとしたのは、従来の鉄製ネックプレートが通常１ｍｍであり、真鋳は鉄よりも剛性が低く、１ｍｍよりも薄いものにすると強度の面でボディ２に対する密着性が低下するため、厚さ１ｍｍを下限としたものである。また、ネックプレート５の取付け位置はボディ２の背面であって身体に当る部分であるため、厚さが５ｍｍを越えると、演奏中にネックプレート５が身体にあたって演奏しずらくなるため、厚さ５ｍｍを上限としたものである。
【００２２】
本実施例において、図５（ａ）に示すように、平面形状が四角形のネックプレート５Ａは、このネックプレート５Ａの四方の隅に形成したネジ穴６ａ、６ａ…の他にネックプレート５Ａの中央部にもネジ穴６ｂを形成してあり、これらの５箇所のネジ穴６ａ、６ｂにネジ４ａ、４ｂを捩じ込むことによって、図３（ｂ）に示すように、５点止めによる固定構造とすることができる。
【００２３】
また、図５（ｂ）に示すように、平面形状が三角形のネックプレート５Ｂは、このネックプレート５Ｂの三方の隅に形成したネジ穴６ａ、６ａ…の他にネックプレート５Ｂの中央部にもネジ穴６ｂを形成してあり、これらの４箇所のネジ穴６ａ、６ｂにネジ４ａ、４ｂを捩じ込むことによって、図３（ｃ）に示すように、４点止めによる固定構造とすることができる。
【００２４】
図４には、上記のネックプレート５（５Ａ、５Ｂ）に関する各種の取付け構造を示してあり、図４（ａ）はネックプレート５をボディ２の背面に当接して中央部のネジ４ｂをネック３に届かない短尺にした場合を示す。また、図４（ｂ）はネックプレート５をボディ２の背面に形成した窪み部２ａに収納した状態で中央部のネジ４ａをネック３に届かない短尺にした場合を示す。また、図４（ｃ）はネックプレート５をボディ２の背面に当接して中央部のネジ４ｂをネック３の内部に螺入される長尺とした場合を示す。さらに、図４（ｄ）はネックプレート５をボディ２の背面に形成した窪み部２ａに収納して中央部のネジ４ｂをネック３の内部に螺入される長尺にした場合を示す。
【００２５】
上記の図４（ａ）、（ｂ）に示すように、ネックプレート５の中央部に形成したネジ穴６ｂにネック３に届かない短尺のネジ４ｂを螺入することにより、ネックプレート５の中央部をボディ２に密着させることができ、これによってギター１の演奏中における振動伝達を高効率に行うことによって音の響きを向上することが可能となる。また、上記のネックプレート５の厚みの増大によって余分な振動、特に低域の雑振動を除去することで、引き締まった低音の音質とすることができる。さらに、ネックプレート５として振動伝導性の高い真鍮板を使用することによって、サステイン（音の伸び）がよい音質を得ることが可能となる。
【００２６】
また、図４（ｃ）、（ｄ）に示すように、ネックプレート５の中央部に形成したネジ穴６ｂにネック３の内部に進入する長尺のネジ４ｂを螺入することで、ネックプレート５の中央部をボディ２に密着させることができ、これによってギター１の演奏中における振動伝達を高効率に行うと共に、上記の音質的な同様の効果を得るほか、ボディ２とネック３の接合強度をより向上することが可能となる。
【００２７】
さらに、図４（ｂ）、（ｄ）に示すように、ボディ２の背面に形成した窪み部２ａにネックプレート５を収納した状態で、該ネックプレート５の各ネジ穴６ａ、６ｂにネジ４ａ、４ｂを螺入することによって、ボディ２の背面からネックプレート５が突出しない取付け構造とすることにより、ギター１の演奏中にネックプレート５が身体にあたらない構造とすることが可能となる。
【産業上の利用可能性】
【００２８】
本考案のギターのネックプレート取付け構造によれば、従来のギターのネックプレートの取付け構造を改善して音質を向上し、特に低域の雑振動を抑えることによって、低域に締りのある音質を発生することができるギターのネックプレート取付け構造として利用することが可能となる。
【符号の説明】
【００２９】
１  ギター
２  ボディ
２ａ  窪み部
３  ネック
４ａ  ネジ
４ｂ  ネジ
５  ネックプレート
５Ａ  四角形のネックプレート
５Ｂ  三角形のネックプレート
６ａ  ネジ穴
６ｂ  ネジ穴
【図１】
0003173675.tif 000003
【図２】
0003173675.tif 000004
【図３】
0003173675.tif 000005
【図４】
0003173675.tif 000006
【図５】
0003173675.tif 000007
【図６】
0003173675.tif 000008